(57)【要約】      （修正有）【課題】カラオケ装置を再生する楽曲が、非登録ユーザにより予約されるとき、再生中の曲を予約した非登録ユーザと、再生中の曲を予約していない非登録ユーザとを区別し、再生中の曲を予約したユーザでない非登録ユーザに対する広告情報を再生する広告決定装置を提供する。【解決手段】カラオケ装置により提供されるサービスを利用するユーザに、サービスに利用登録しているログインユーザと、サービスに利用登録していないゲストユーザとが混在する場合に、再生中の楽曲を予約したユーザがログインユーザまたはゲストユーザのいずれであるかを判断し、再生中の楽曲を予約していないいずれかのユーザに対する広告情報を再生する。【選択図】図１１
2013250396.tif 000002
【特許請求の範囲】
【請求項１】
カラオケ装置と通信可能な広告決定装置であって、
カラオケ装置により提供されるサービスにログインしているログインユーザ、またはログインしていないゲストユーザにより、前記カラオケ装置に予約された楽曲を示す楽曲リストを取得する第１取得手段と、
前記取得された楽曲リストに基づいて、ログインユーザと、ゲストユーザとが混在しているかを判定する第１判定手段と、
前記第１判定手段により、ログインユーザと、ゲストユーザとが混在していると判定された場合、前記ログインユーザにより予約された楽曲が再生中であるか否かを判定する第２判定手段と、
前記第２判定手段により、前記ログインユーザにより予約された楽曲が再生中であると判定された場合、ゲストユーザに合った広告情報を決定する第１決定手段と、
前記第２判定手段により、前記ログインユーザにより予約された楽曲が再生中でないと判定された場合、ログインユーザに合った広告情報を決定する第２決定手段と、
を備えることを特徴とする広告決定装置。
【請求項２】
前記カラオケ装置は、店舗に設置され、
前記第１決定手段は、前記第２判定手段により、前記ログインユーザにより予約された楽曲が再生中であると判定された場合、ゲストユーザに合った広告情報として、前記カラオケ装置が設置された店舗の属性情報に従って、広告情報を決定する
ことを特徴とする請求項１に記載の広告決定装置。
【請求項３】
前記店舗の属性情報として、前記店舗の稼働状況を示す販売時点情報管理（ＰＯＳ（Ｐｏｉｎｔ  ｏｆ  ｓａｌｅ））システムにより管理される、時間帯ごとのユーザ層を示す稼働情報を取得する稼働情報取得手段を備え、
前記第１決定手段は、前記第２判定手段により、前記ログインユーザにより予約された楽曲が再生中であると判定された場合、前記カラオケ装置が設置された店舗の属性情報として、前記稼働情報取得手段により取得される前記時間帯ごとのユーザ層に合った広告情報を決定する
ことを特徴とする請求項２に記載の広告決定装置。
【請求項４】
前記楽曲リストから、前記カラオケ装置に予約された楽曲を識別する楽曲識別情報を取得する第２取得手段と、
前記第２取得手段により取得された前記楽曲識別情報と対応付けられた楽曲属性情報を取得する第３取得手段と、
を備え、
前記第１決定手段は、第２判定手段により、前記ログインユーザにより予約された楽曲が再生中であると判定された場合、前記第１取得手段により取得された楽曲リストのうち、前記第３取得手段により取得された前記楽曲属性情報に従って広告情報を決定する
ことを特徴とする請求項１に記載の広告決定装置。
【請求項５】
前記第３取得手段は、前記楽曲属性情報として、前記第２取得手段により取得された楽曲識別情報が示す楽曲が好まれる年齢または年代を識別可能な年情報を取得し、
前記第１決定手段は、第３取得手段により取得された前記年情報に基づいて、前記カラオケ装置を利用するユーザの年齢または年代に合った広告情報を決定する
ことを特徴とする請求項４に記載の広告決定装置。
【請求項６】
前記第３取得手段は、前記楽曲属性情報として、前記第２取得手段により取得された楽曲識別情報が示す楽曲が、男性向けの楽曲または女性向けの楽曲かを識別可能な性別情報を取得し、
前記第１決定手段は、前記第３取得手段により取得された前記性別情報に基づいて、前記カラオケ装置を利用するユーザの性別に合った広告情報を決定する
ことを特徴とする請求項４に記載の広告決定装置。
【請求項７】
カラオケ装置と通信可能な広告決定装置により実行される広告決定プログラムであって、
カラオケ装置により提供されるサービスにログインしているログインユーザ、またはログインしていないゲストユーザにより、前記カラオケ装置に予約された楽曲を示す楽曲リストを取得する第１取得ステップと、
前記取得された楽曲リストに基づいて、ログインユーザと、ゲストユーザとが混在しているかを判定する第１判定ステップと、
前記第１判定ステップにより、ログインユーザと、ゲストユーザとが混在していると判定された場合、前記ログインユーザにより予約された楽曲が再生中であるか否かを判定する第２判定ステップと、
前記第２判定ステップにより、前記ログインユーザにより予約された楽曲が再生中であると判定された場合、ゲストユーザに合った広告情報を決定する第１決定ステップと、
前記第２判定ステップにより、前記ログインユーザにより予約された楽曲が再生中でないと判定された場合、ログインユーザに合った広告情報を決定する第２決定ステップと、
を備えることを特徴とする広告決定プログラム。
【請求項８】
カラオケ装置と通信可能な広告決定装置における広告決定方法であって、
カラオケ装置により提供されるサービスにログインしているログインユーザ、またはログインしていないゲストユーザにより、前記カラオケ装置に予約された楽曲を示す楽曲リストを取得する第１取得ステップと、
前記取得された楽曲リストに基づいて、ログインユーザと、ゲストユーザとが混在しているかを判定する第１判定ステップと、
前記第１判定ステップにより、ログインユーザと、ゲストユーザとが混在していると判定された場合、前記ログインユーザにより予約された楽曲が再生中であるか否かを判定する第２判定ステップと、
前記第２判定ステップにより、前記ログインユーザにより予約された楽曲が再生中であると判定された場合、ゲストユーザに合った広告情報を決定する第１決定ステップと、
前記第２判定ステップにより、前記ログインユーザにより予約された楽曲が再生中でないと判定された場合、ログインユーザに合った広告情報を決定する第２決定ステップと、
を備えることを特徴とする広告決定方法。
【請求項９】
カラオケ装置により提供されるサービスにログインしているログインユーザ、またはログインしていないゲストユーザにより、前記カラオケ装置に予約された楽曲を示す楽曲リストを取得する第１取得手段と、
前記取得された楽曲リストに基づいて、ログインユーザと、ゲストユーザとが混在しているかを判定する第１判定手段と、
前記第１判定手段により、ログインユーザと、ゲストユーザとが混在していると判定された場合、前記ログインユーザにより予約された楽曲が再生中であるか否かを判定する第２判定手段と、
前記第２判定手段により、前記ログインユーザにより予約された楽曲が再生中であると判定された場合、ゲストユーザに合った広告情報を決定する第１決定手段と、
前記第２判定手段により、前記ログインユーザにより予約された楽曲が再生中でないと判定された場合、ログインユーザに合った広告情報を決定する第２決定手段と、
を備えることを特徴とするカラオケ装置。
【発明の詳細な説明】
【技術分野】
【０００１】
本発明は、広告決定装置に関する。具体的には、カラオケシステムを用いて提供する広告を決定する広告決定装置に関する。
【背景技術】
【０００２】
従来、カラオケ装置を利用するユーザに対して、広告を表示するシステムがある。特許文献１には、カラオケ装置を利用するユーザそれぞれに対し、それぞれの歌唱履歴情報に応じた広告情報を提供する歌唱情報処理システムが開示されている。この歌唱情報処理システムでは、カラオケ装置を利用するユーザに対して、そのユーザが歌唱する演奏曲の再生終了後に、歌唱履歴に応じた広告情報が再生される。ユーザが、歌唱情報処理システムに登録された登録ユーザであるとき、登録ユーザの歌唱履歴情報に応じた広告情報が再生される。一方、ユーザが、歌唱情報処理システムに登録されていない非登録ユーザであるとき、非登録ユーザ全体の歌唱履歴に応じた広告情報が再生される。
【先行技術文献】
【特許文献】
【０００３】
【特許文献１】特開２０１２−２７１２６号公報
【発明の開示】
【発明が解決しようとする課題】
【０００４】
特許文献１に記載の技術では、演奏曲の再生終了後の曲間に、広告情報が再生される。広告情報は、演奏曲が再生されていない曲間に限らず、曲の再生中に再生されてもよい。曲の再生中に広告情報が再生されるとき、再生される広告情報が、歌唱中のユーザに合う広告情報であると、歌唱中のユーザは歌唱に集中し、広告を見ない可能性が高い。曲の再生中は、歌唱中でないユーザに対する広告情報を再生し、効果的な広告の提供を行うべきである。
【０００５】
また、再生される曲が、登録ユーザと、非登録ユーザとにより予約されるとき、登録ユーザは、ユーザＩＤによってユーザ個人の特定が可能である。一方、非登録ユーザは、ユーザ個人の特定が不可能であるため、非登録ユーザにより予約される曲が再生されるとき、再生中の曲を予約した非登録ユーザと、再生中の曲を予約していない非登録ユーザとを区別することができない。そのため、再生中の曲を予約したユーザでない非登録ユーザに対する広告情報を再生したい場合であっても、再生中の曲を予約した非登録ユーザに対する広告情報が再生されてしまうおそれがあり、効果的な広告の提供が行われないという問題がある。
【０００６】
本発明は、上述した課題を解決するためものである。本発明は、カラオケ装置により提供されるサービスを利用するユーザに、サービスに利用登録をしているログインユーザと、サービスに利用登録をしていないゲストユーザとが混在する場合であっても、再生中の楽曲を予約したユーザがログインユーザまたはゲストユーザのいずれであるかを判断し、再生中の楽曲を予約していないゲストユーザまたはログインユーザのいずれかのユーザに対する広告情報を再生する広告決定装置を提供することを目的とする。
【課題を解決するための手段】
【０００７】
請求項１に記載の発明によれば、カラオケ装置と通信可能な広告決定装置であって、カラオケ装置により提供されるサービスにログインしているログインユーザ、またはログインしていないゲストユーザにより、前記カラオケ装置に予約された楽曲を示す楽曲リストを取得する第１取得手段と、前記取得された楽曲リストに基づいて、ログインユーザと、ゲストユーザとが混在しているかを判定する第１判定手段と、前記第１判定手段により、ログインユーザと、ゲストユーザとが混在していると判定された場合、前記ログインユーザにより予約された楽曲が再生中であるか否かを判定する第２判定手段と、前記第２判定手段により、前記ログインユーザにより予約された楽曲が再生中であると判定された場合、ゲストユーザに合った広告情報を決定する第１決定手段と、前記第２判定手段により、前記ログインユーザにより予約された楽曲が再生中でないと判定された場合、ログインユーザに合った広告情報を決定する第２決定手段とを備えることを特徴とする広告決定装置である。
【０００８】
請求項２に記載の発明によれば、前記カラオケ装置は、店舗に設置され、前記第１決定手段は、前記第２判定手段により、前記ログインユーザにより予約された楽曲が再生中であると判定された場合、ゲストユーザに合った広告情報として、前記カラオケ装置が設置された店舗の属性情報に従って、広告情報を決定することを特徴とする。
【０００９】
請求項３に記載の発明によれば、前記店舗の属性情報として、前記店舗の稼働状況を示す販売時点情報管理（ＰＯＳ（Ｐｏｉｎｔ  ｏｆ  ｓａｌｅ））システムにより管理される、時間帯ごとのユーザ層を示す稼働情報を取得する稼働情報取得手段を備え、前記第１決定手段は、前記第２判定手段により、前記ログインユーザにより予約された楽曲が再生中であると判定された場合、前記カラオケ装置が設置された店舗の属性情報として、前記稼働情報取得手段により取得される前記時間帯ごとのユーザ層に合った広告情報を決定することを特徴とする。
【００１０】
請求項４に記載の発明によれば、前記楽曲リストから、前記カラオケ装置に予約された楽曲を識別する楽曲識別情報を取得する第２取得手段と、前記第２取得手段により取得された前記楽曲識別情報と対応付けられた楽曲属性情報を取得する第３取得手段と、を備え、前記第１決定手段は、第２判定手段により、前記ログインユーザにより予約された楽曲が再生中であると判定された場合、前記第１取得手段により取得された楽曲リストのうち、前記第３取得手段により取得された前記楽曲属性情報に従って広告情報を決定することを特徴とする。
【００１１】
請求項５に記載の発明によれば、前記第３取得手段は、前記楽曲属性情報として、前記第２取得手段により取得された楽曲識別情報が示す楽曲が好まれる年齢または年代を識別可能な年情報を取得し、前記第１決定手段は、第３取得手段により取得された前記年情報に基づいて、前記カラオケ装置を利用するユーザの年齢または年代に合った広告情報を決定することを特徴とする。
【００１２】
請求項６に記載の発明によれば、前記第３取得手段は、前記楽曲属性情報として、前記第２取得手段により取得された楽曲識別情報が示す楽曲が、男性向けの楽曲または女性向けの楽曲かを識別可能な性別情報を取得し、前記第１決定手段は、前記第３取得手段により取得された前記性別情報に基づいて、前記カラオケ装置を利用するユーザの性別に合った広告情報を決定することを特徴とする。
【００１３】
請求項７に記載の発明によれば、カラオケ装置と通信可能な広告決定装置により実行される広告決定プログラムであって、カラオケ装置により提供されるサービスにログインしているログインユーザ、またはログインしていないゲストユーザにより、前記カラオケ装置に予約された楽曲を示す楽曲リストを取得する第１取得ステップと、前記取得された楽曲リストに基づいて、ログインユーザと、ゲストユーザとが混在しているかを判定する第１判定ステップと、前記第１判定ステップにより、ログインユーザと、ゲストユーザとが混在していると判定された場合、前記ログインユーザにより予約された楽曲が再生中であるか否かを判定する第２判定ステップと、前記第２判定ステップにより、前記ログインユーザにより予約された楽曲が再生中であると判定された場合、ゲストユーザに合った広告情報を決定する第１決定ステップと、前記第２判定ステップにより、前記ログインユーザにより予約された楽曲が再生中でないと判定された場合、ログインユーザに合った広告情報を決定する第２決定ステップと、を備えることを特徴とする広告決定プログラムである。
【００１４】
請求項８に記載の発明によれば、カラオケ装置と通信可能な広告決定装置における広告決定方法であって、カラオケ装置により提供されるサービスにログインしているログインユーザ、またはログインしていないゲストユーザにより、前記カラオケ装置に予約された楽曲を示す楽曲リストを取得する第１取得ステップと、前記取得された楽曲リストに基づいて、ログインユーザと、ゲストユーザとが混在しているかを判定する第１判定ステップと、前記第１判定ステップにより、ログインユーザと、ゲストユーザとが混在していると判定された場合、前記ログインユーザにより予約された楽曲が再生中であるか否かを判定する第２判定ステップと、前記第２判定ステップにより、前記ログインユーザにより予約された楽曲が再生中であると判定された場合、ゲストユーザに合った広告情報を決定する第１決定ステップと、前記第２判定ステップにより、前記ログインユーザにより予約された楽曲が再生中でないと判定された場合、ログインユーザに合った広告情報を決定する第２決定ステップと、を備えることを特徴とする広告決定方法である。
【００１５】
請求項９に記載の発明によれば、カラオケ装置により提供されるサービスにログインしているログインユーザ、またはログインしていないゲストユーザにより、前記カラオケ装置に予約された楽曲を示す楽曲リストを取得する第１取得手段と、前記取得された楽曲リストに基づいて、ログインユーザと、ゲストユーザとが混在しているかを判定する第１判定手段と、前記第１判定手段により、ログインユーザと、ゲストユーザとが混在していると判定された場合、前記ログインユーザにより予約された楽曲が再生中であるか否かを判定する第２判定手段と、前記第２判定手段により、前記ログインユーザにより予約された楽曲が再生中であると判定された場合、ゲストユーザに合った広告情報を決定する第１決定手段と、前記第２判定手段により、前記ログインユーザにより予約された楽曲が再生中でないと判定された場合、ログインユーザに合った広告情報を決定する第２決定手段と、を備えることを特徴とするカラオケ装置である。
【発明の効果】
【００１６】
請求項１に記載の発明によれば、第１判定手段によりログインユーザと、ゲストユーザとが混在していると判定されたとき、ログインユーザにより予約された曲が再生中であれば、第１決定手段により、ゲストユーザに合った広告情報が決定され、ログインユーザにより予約された楽曲が再生中でなければ、ゲストユーザにより予約された曲が再生中であるため、第２決定手段により、ログインユーザに合った広告情報が決定される。この結果、予約した楽曲が再生中でなく、広告を見ると考えられるログインユーザまたはゲストユーザのいずれかに、効果的な広告情報の提供が可能となる。
【００１７】
請求項２に記載の発明によれば、ログインユーザにより予約された楽曲が再生中であるとき、第１決定手段により、ゲストユーザに合った広告情報として、カラオケ装置が設置された店舗の属性情報に合った広告情報が決定される。この結果、ログインユーザが予約した楽曲が再生中であるとき、ゲストユーザについての情報が取得できない場合であっても、広告情報を見る可能性が高いゲストユーザ合った広告情報として、店舗の属性情報に合った広告を見せることができる。
【００１８】
請求項３に記載の発明によれば、ログインユーザにより予約された楽曲が再生中であるとき、第１決定手段により、カラオケ装置が設置された店舗の時間帯ごとのユーザ層を示す稼働情報に従って、再生中の楽曲を予約したゲストユーザに合う広告情報が決定される。この結果、ログインユーザにより予約された楽曲が再生中であるとき、ゲストユーザのユーザについての情報が取得できない場合であっても、ゲストユーザに合う広告情報として、店舗の時間帯ごとのユーザ層を示す稼働情報に従った広告情報を決定することができる。
【００１９】
請求項４に記載の発明によれば、第３取得手段により、楽曲リストの楽曲を識別する楽曲識別情報に対応する楽曲属性情報が取得される。第１決定手段により、ログインユーザにより予約された楽曲が再生中であるとき、楽曲の楽曲属性情報に従って広告情報が決定される。この結果、ログインユーザにより予約された楽曲の再生中であるとき、ゲストユーザのユーザについての情報が取得できない場合であっても、予約された楽曲の楽曲属性情報に従って、その楽曲を好むゲストユーザに合う広告情報を決定することができる。
【００２０】
請求項５に記載の発明によれば、第３取得手段により、楽曲属性情報として、楽曲リストの楽曲の年情報が取得される。第１決定手段により、年情報に従って、予約された楽曲を示す楽曲リストを識別する楽曲識別情報が示す楽曲が好まれる年齢または年代に合った広告情報が決定される。この結果、ログインユーザにより予約された楽曲の再生中であるとき、ユーザについての情報が取得できない場合であっても、楽曲リストの楽曲の年情報に従って、楽曲を予約したカラオケ装置を利用するユーザの年齢または年代に合った広告情報を決定することができる。
【００２１】
請求項６に記載の発明によれば、第３取得手段により、楽曲属性情報として、楽曲リストの楽曲の性別情報が取得される。第１決定手段により、性別情報に従って、予約された楽曲を示す楽曲リストを識別する楽曲識別情報が示す楽曲を予約するユーザの性別に合った広告情報が決定される。この結果、ログインユーザにより予約された楽曲の再生中であるとき、ユーザについての情報が取得できない場合であっても、楽曲リストの楽曲の性別情報に従って、楽曲を予約したカラオケ装置を利用するユーザの性別に合った広告情報を決定することができる。
【００２２】
請求項７に記載の発明によれば、第１判定ステップによりログインユーザと、ゲストユーザとが混在していると判定されたとき、ログインユーザにより予約された曲が再生中であれば、第１決定ステップにより、ゲストユーザに合った広告情報が決定され、ログインユーザにより予約された楽曲が再生中でなければ、第２決定ステップにより、ログインユーザに合った広告情報が決定される。この結果、予約した楽曲が再生中でなく、広告を見ると考えられるログインユーザまたはゲストユーザのいずれかに、効果的な広告情報の提供が可能となる。
【００２３】
請求項８に記載の発明によれば、第１判定ステップによりログインユーザと、ゲストユーザとが混在していると判定されたとき、ログインユーザにより予約された曲が再生中であれば、第１決定ステップにより、ゲストユーザに合った広告情報が決定され、ログインユーザにより予約された楽曲が再生中でなければ、第２決定ステップにより、ログインユーザに合った広告情報が決定される。この結果、予約した楽曲が再生中でなく、広告を見ると考えられるログインユーザまたはゲストユーザのいずれかに、効果的な広告情報の提供が可能となる。
【００２４】
請求項９に記載の発明によれば、第１判定手段によりログインユーザと、ゲストユーザとが混在していると判定されたとき、ログインユーザにより予約された曲が再生中であれば、第１決定手段により、ゲストユーザに合った広告情報が決定され、ログインユーザにより予約された楽曲が再生中でなければ、第２決定手段により、ログインユーザに合った広告情報が決定される。この結果、予約した楽曲が再生中でなく、広告を見ると考えられるログインユーザまたはゲストユーザのいずれかに、効果的な広告情報の提供が可能となる。
【図面の簡単な説明】
【００２５】
【図１】本実施形態のリモコン１、カラオケ装置２から構成されるカラオケシステムの概要を示す概念図である。
【図２】本実施形態のカラオケシステムＳのリモコン１、カラオケ装置２、センターサーバ４、及び、広告決定サーバ５の電気的構成を示すブロック図である。
【図３】本実施形態の注文端末６およびＰＯＳレジ７の電気的構成を示すブロック図である。
【図４】図４（ａ）は、リモコン１を用いてカラオケの楽曲の予約を行う際の表示画面である。図４（ｂ）は、本実施形態のリモコン１のディスプレイ１４に予約リストが表示される状態を示す説明図である。図４（ｃ）は、広告コンテンツと、属性情報とが対応付けられて、広告コンテンツ属性情報記憶領域４３２に記憶される記憶状態を示す概念図である。
【図５】店舗統計情報が、店舗統計情報記憶領域４３３に記憶される記憶状態を示す概念図である。
【図６】注文情報が、注文情報記憶領域６３１に記憶される記憶状態を示す概念図である。
【図７】顧客情報が、顧客情報記憶領域７３２に記憶される記憶状態を示す概念図である。
【図８】本実施形態のリモコン１により実行されるメイン動作の処理を示すフローチャートである。
【図９】本実施形態のカラオケ装置２により実行されるメイン動作の処理を示すフローチャートである。
【図１０】本実施形態の広告決定サーバ５により実行されるメイン処理を示すフローチャートである。
【図１１】本実施形態の広告決定サーバ５により実行される再生ユーザ別広告表示処理を示すフローチャートである。
【図１２】本実施形態の広告決定サーバ５により実行されるゲストユーザ向け広告表示処理を示すフローチャートである。
【発明を実施するための形態】
【００２６】
［最良の実施形態］
以下、図面に沿って、本発明を適用した最良の実施形態について説明する。
【００２７】
［１．カラオケシステムの構成及び動作の概要］
始めに、図１を参照して、本実施形態のカラオケシステムの構成の概要について説明する。図１は、本実施形態のカラオケシステムＳの構成を表す図である。なお、図１は、カラオケ店舗ＫＳの中に設置された複数のカラオケルームの中で、カラオケルームＫＲを１室示した例を用いている。また、図１の例では、カラオケルームＫＲに、リモコン１及びカラオケ装置２が夫々１台ずつ設置されている。なお、カラオケルームＫＲに、リモコン１は複数台設置されても良い。一般的にカラオケ店舗ＫＳには、複数のカラオケルームＫＲが設定されている。
【００２８】
図１に示すように、カラオケシステムＳは、リモコン１と、カラオケ装置２と、センターサーバ４と、広告決定サーバ５と、注文端末６と、ＰＯＳ（Ｐｏｉｎｔ  ｏｆ  ｓａｌｅ（販売時点情報管理システム））レジ７とを含んで構成される。リモコン１は、カラオケの楽曲の選曲または検索に用いられる選曲装置である。リモコン１は、カラオケ店舗ＫＳに備えられたアクセスポイントＡＰ及びブロードバンドルータＢＲを介して、無線通信によりネットワークに接続される。これにより、リモコン１は、ネットワークを介してカラオケ装置２及び広告決定サーバ５と通信が可能になる。また、広告決定サーバ５は、ブロードバンドルータＢＲを介してカラオケ装置２及びセンターサーバ４と通信が可能になる。リモコン１は、赤外線によりカラオケ装置２へ、楽曲の予約を依頼する。リモコン１には、リモコンＩＤが付与されている。リモコンＩＤは、リモコン１を識別するための識別情報である。リモコンＩＤは、リモコン１を一意に特定できる情報であれば、どのような情報であってもよいが、例えばリモコン１に割り当てられたＩＰアドレスがリモコンＩＤとされても良い。
【００２９】
カラオケ装置２は、リモコン１により依頼された予約に基づいて、楽曲の再生処理を行う。カラオケ装置２には、夫々カラオケ装置ＩＤが付与される。カラオケ装置ＩＤは、カラオケ装置を夫々識別するための情報である。カラオケ装置ＩＤは、カラオケ装置２を一意に特定できる情報であれば、どのような情報であってもよいが、例えばカラオケ装置２に割り当てられたＩＰアドレスがカラオケ装置ＩＤとされる。ＩＰアドレスが示すカラオケ装置２のカラオケ装置ＩＤにより、カラオケ装置２が存在する場所が特定され、カラオケ装置２が設置されるカラオケルームＫＲおよびカラオケ店舗ＫＳが特定される。すなわち、リモコン１のリモコンＩＤと、カラオケ装置２のカラオケ装置ＩＤとが対応付けられることにより、リモコン１により依頼された予約に基づく各処理が、カラオケ装置２により実行される。また、注文端末６にも、端末ＩＤが付与され、リモコン１のリモコンＩＤまたはカラオケ装置２のカラオケ装置ＩＤと、端末ＩＤとが対応付けられることにより、注文端末６と対応付けられたリモコン１及びカラオケ装置２が決定される。また、カラオケ装置ＩＤは、広告決定サーバ５においても管理されることにより、カラオケ装置ＩＤにより特定されるカラオケ装置２が設置されるカラオケ店舗ＫＳおよびカラオケルームＫＲの場所が特定される。
【００３０】
また、リモコン１の代わりに、ユーザが個人で所有する携帯端末装置から、楽曲の予約を、カラオケ装置へ依頼することが可能である。ユーザは、夫々所有する携帯端末装置を用いて、カラオケ装置２へ楽曲の予約を依頼することができる。この場合、携帯端末装置は、携帯基地局Ｃを介してネットワークへ接続可能になっている。
【００３１】
また、ブロードバンドルータＢＲを介して、カラオケ店舗ＫＳより外部に設置されるセンターサーバ４と、広告決定サーバ５とが、ネットワークにより接続される。センターサーバ４の詳細は後述する。
【００３２】
広告決定サーバ５には、ディスプレイ５４と、ＰＯＳレジ７とが接続される。ディスプレイ５４は、センターサーバ４から受信する広告を表示する。ＰＯＳレジ７は、ユーザが注文端末６を用いて、カラオケ店舗ＫＳが提供する商品等を注文する注文情報を管理する。ＰＯＳレジ７により管理される情報は、センターサーバ４および広告決定サーバ５に送信される。なお、広告決定サーバ５とＰＯＳレジ７とが接続されていなくても良い。この場合、ＰＯＳレジ７により取得された情報が、センターサーバ４に送信されても良い。
【００３３】
[１．カラオケシステムＳの電気的構成]
図２および図３は、カラオケシステムＳの電気的構成を示すブロック図である。以下、図２を用いて、リモコン１、カラオケ装置２、センターサーバ４、広告決定サーバ５の電気的構成を順に説明する。図３を用いて、注文端末６、ＰＯＳレジ７の電気的構成を説明する。
【００３４】
［リモコン１の構成］
リモコン１は、制御部１１と、赤外線送信部１２と、メモリ１３と、ディスプレイ１４と、操作部１５と、操作処理部１６と、ビデオＲＡＭ１７と、映像制御部１８と、無線ＬＡＮ通信部１９とを備える。制御部１１は、リモコン１の動作を制御する。赤外線送信部１２は、後述するカラオケ装置２の赤外線受信部２５と通信することにより、リモコン１の指示を、カラオケ装置２へ送信する。メモリ１３は、ログイン情報記憶領域１３１と、アクティブ情報記憶領域１３２とを備える。ログイン情報記憶領域１３１は、ユーザがリモコン１を用いてカラオケシステムＳにログインした情報を記憶する。具体的には、カラオケシステムＳにおけるユーザのユーザＩＤと、ユーザＩＤに紐付けられているユーザの属性情報などが、ログイン情報記憶領域１３１に記憶される。ユーザの属性情報とは、例えば、ユーザの性別、ユーザの年齢、ユーザの歌唱履歴、ユーザの嗜好を示す情報である。アクティブ情報記憶領域１３２は、リモコン１のアクティブユーザを示すユーザＩＤを記憶する。アクティブユーザは、リモコン１を操作しているユーザを示す。図４を用いて、リモコン１のログイン処理、及び、アクティブユーザについて説明する。図４（ａ）は、リモコン１を用いて楽曲の予約を行う際の表示画面である。本実施形態では、図４（ａ）に示すように、リモコン１のディスプレイ１４には、リモコン１を用いてログインされたユーザ画像Ａ１、Ａ２及びＡ３が表示される。本実施形態では、リモコン１によるログイン処理が完了すると、リモコン１のディスプレイ１４には、ログインしたユーザが、例えば、アバターを用いて、ユーザ画像Ａ１、Ａ２及びＡ３として表示される。
【００３５】
また、本実施形態では、さらに、リモコン１へログインしたユーザの中から、リモコン１を利用しているユーザが識別可能になっている。本実施形態では、リモコン１へログインしたユーザの中から、リモコン１を利用しているユーザを、以下、「アクティブユーザ」と呼ぶ。図４（ａ）の例では、ユーザ画像Ａ１の周辺に枠が表示されている。この枠に囲まれたユーザ画像Ａ１が示すユーザが、アクティブユーザとなる。本実施形態のリモコン１のディスプレイ１４は、タッチパネルである。このため、ユーザ画像Ａ１〜Ａ３のいずれかが、接触されることで、接触されたユーザ画像と対応するユーザへ、アクティブユーザを切り替えることが可能である。切り替えられたアクティブユーザに対応するユーザＩＤが、アクティブ情報記憶領域１３２へ記憶される。アクティブユーザが切り替えられるたびに、アクティブ情報記憶領域１３２は更新される。
【００３６】
また、本実施形態では、リモコン１へログインしていないユーザであっても予約可能なように、ゲストユーザの設定が可能である。図４（ａ）では、ユーザ画像Ａ４がゲストユーザを示す。このため、ユーザ画像Ａ４が、接触されることで、ゲストユーザへ、アクティブユーザを切り替えることが可能である。ゲストユーザに切り替えられた場合、ゲストユーザを示す識別情報が、アクティブ情報記憶領域１３２へ記憶される。ゲストユーザへ切り替えられるたびに、アクティブ情報記憶領域１３２は更新される。このように、各アクティブユーザ、及びゲストユーザが切り替えられるたびに、アクティブ情報記憶領域１３２に記憶されるユーザ識別情報が更新される。リモコン１により楽曲を予約する指示がされたとき、アクティブ情報記憶領域１３２に記憶されるユーザ識別情報が、予約される楽曲に対応付けられる。これにより、予約される楽曲と、楽曲を予約する指示をしたユーザを示すアクティブユーザとが対応付けられる。
【００３７】
図４（ｂ）は、本実施形態のリモコン１のディスプレイ１４に予約リストが表示される状態を示す説明図である。図４（ｂ）は、予約リストが表示される表示態様を示す説明図である。図４（ｂ）に示すように、楽曲を識別可能な楽曲識別情報として「ちりぬるを」、「いろは」、「ひほへと」と、その楽曲を予約したユーザとが対応付けられている。例えば、楽曲識別情報「ちりぬるを」には、ユーザ画像Ａ２が対応付けられている。これは、楽曲識別情報「ちりぬるを」は、ユーザ画像Ａ２が示すユーザにより予約されたことを示している。また、楽曲識別情報「いろは」には、ゲストユーザを示す画像が対応付けられている。これは、楽曲識別情報「いろは」は、ゲストユーザにより予約されたことを示している。
【００３８】
ディスプレイ１４には、ユーザがログインおよび楽曲の予約をするために、ログイン画面および楽曲選択画面などが表示される。操作部１５は、ディスプレイ１４に表示される情報に従って、カラオケ装置２へログイン情報および楽曲の情報を送信するとき、ユーザにより操作される。操作部１５により操作された情報は、操作処理部１６により制御部１１に送信される。ビデオＲＡＭ１７は、ディスプレイ１４に表示させる情報を記憶する。映像制御部１８は、制御部１１による制御に従って、ディスプレイ１４に表示させる情報を送信する。無線ＬＡＮ通信部１９は、制御部１１による制御に従って、メモリ１３に記憶されている情報を、アクセスポイントＡＰへ送信し、アクセスポイントＡＰから情報を受信する。
【００３９】
［カラオケ装置２の構成］
カラオケ装置２は、制御部２１と、ＬＡＮインタフェース部２２と、記憶部２３と、操作部２４と、赤外線受信部２５と、操作処理部２６と、シンセサイザ２７と、マイク制御部２８と、スピーカ２９と、ミキシングアンプ３０と、ビデオＲＡＭ３１と、映像再生部３２と、映像制御部３３と、映像受信部３４と、ディスプレイ３５と、カメラ３６とを備える。制御部２１は、カラオケ装置２の動作を制御する。制御部２１は、例えば、後述する予約リストに従って、予約された楽曲を再生させる指示を行う。ＬＡＮインタフェース部２２は、ネットワークに接続し、制御部２１からの情報を、ネットワークに接続される他の端末であるリモコン１と、センターサーバ４と、広告決定サーバ５とに送信する。また、ネットワークに接続される他の端末からの情報を受信する。
【００４０】
記憶部２３は、ログイン情報記憶領域２３１と、予約リスト記憶領域２３２とを備える。ログイン情報記憶領域２３１は、リモコン１を用いてログインしたユーザのログイン情報が記憶される。予約リスト記憶領域２３２は、リモコン１を用いてユーザにより予約された楽曲の情報を予約リストとして記憶する。具体的には、予約リストには、予約したユーザを示すユーザＩＤと、予約された楽曲を識別可能な楽曲識別情報とが対応付けられて登録される。操作部２４により、ユーザは、リモコン１と同様に、楽曲を予約することができる。赤外線受信部２５は、リモコン１の赤外線送信部１２から、情報を受信する。操作処理部２６は、操作部２４および赤外線受信部２５からの情報を、操作指示として、制御部２１に送信する。シンセサイザ２７は、制御部２１による制御に従って、楽曲の音を発生させる指示をミキシングアンプ３０へ行う。マイク制御部２８は、図示外のマイクを用いてユーザにより入力される音を発生させる指示をミキシングアンプ３０へ行う。スピーカ２９およびミキシングアンプ３０は、シンセサイザ２７およびマイク制御部２８から受信する指示に従って、音を発生させる。ビデオＲＡＭ３１と、映像再生部３２と、映像制御部３３と、映像受信部３４とにより、制御部２１による制御に従って、ディスプレイ３５に映像を表示させる。また、映像制御部３３は、制御部２１による制御に従って、カメラ３６が取得した映像を、ディスプレイ３５に表示させる。
【００４１】
［センターサーバ４の構成］
センターサーバ４は、ＬＡＮインタフェース部４１と、制御部４２と、広告記憶部４３と、曲記憶部４４とを備える。ＬＡＮインタフェース部４１は、ネットワークに接続し、ブロードバンドルータＢＲを介して他の端末であるリモコン１と、カラオケ装置２と、広告決定サーバ５と、注文端末６と、ＰＯＳレジ７とに接続される。制御部４２は、センターサーバ４の動作を制御する。広告記憶部４３は、広告コンテンツ記憶領域４３１と、広告コンテンツ属性情報記憶領域４３２と、店舗統計情報記憶領域４３３を備える。広告コンテンツ記憶領域４３１は、カラオケシステムＳを利用してディスプレイ５４に表示させる多数の広告コンテンツを記憶する。広告コンテンツ属性情報記憶領域４３２は、広告コンテンツ記憶領域４３１に記憶される広告コンテンツに対応付けて、各広告コンテンツの属性情報を記憶する。図４（ｃ）は、広告コンテンツと、広告コンテンツの属性情報とが対応付けられて、広告コンテンツ属性情報記憶領域４３２に記憶される記憶状態を示す概念図である。図４（ｃ）に示すように、各広告コンテンツには、属性情報として、客層、年齢層、性別、人数、メニュー大分類、メニュー小分類、及び、地域が対応付けられて、広告コンテンツ属性情報記憶領域４３２に記憶される。客層は、広告コンテンツが対象とする客層を示す。年齢層は、広告コンテンツが対象とする年齢層を示す。性別は、広告コンテンツが対象とする性別を示す。人数は、広告コンテンツが対象とするカラオケ装置２を利用するユーザの人数を示す。メニュー大分類は、広告コンテンツが対象とするユーザが注文するメニューの大分類を示す。メニュー小分類は、広告コンテンツが対象とするユーザが注文するメニューの小分類を示す。地域は、広告コンテンツが対象とする地域を示す。地域は、例えば、カラオケ装置２または広告決定サーバ５等が設置される市区町村、都道府県、地区等を示す。例えば、図４（ｃ）に示す広告コンテンツ「広告１」は、Ａ県を対象とする広告コンテンツである。なお、地域が登録されていない場合は、全国を対象とする広告コンテンツであることを示す。例えば、図４（ｃ）に示す広告コンテンツ「広告２」、「広告３」、「広告４」は、地域の対象が「―」であり、全国を対象とする広告コンテンツである。なお、以下の説明では、図４（ｃ）に示す客層、年齢層、性別、人数に関する情報をまとめて客層情報と呼ぶ。また、図４（ｃ）に示すメニュー大分類、及び、メニュー小分類に関する情報をまとめて商品情報と呼ぶ。図４（ｃ）に示す地域に関する情報をまとめて地域情報と呼ぶ。店舗統計情報記憶領域４３３は、ＰＯＳレジ７により管理されるユーザから注文された商品の注文傾向、または、カラオケに来店したユーザの属性等の傾向を示す店舗情報を、カラオケ店舗ＫＳごとに店舗統計情報として記憶する。以下、図５を参照して、店舗統計情報について説明する。図５は、店舗統計情報が、店舗統計情報記憶領域４３３に記憶される記憶状態を示す概念図である。図５に示すように、店舗統計情報は、各時間帯と、各時間帯に来るユーザの代表的な客層、年齢、性別、人数とを対応付けて記憶する。また、店舗統計情報は、各時間帯と、各時間帯に来るユーザに代表的に注文されるメニューのメニュー大分類、及び、メニュー小分類とを対応付けて記憶する。なお、店舗統計情報の収集についての詳細は、後述する。また、曲記憶部４４は、楽曲記憶領域４４１を備える。楽曲記憶領域４４１は、カラオケの楽曲と、楽曲を識別可能な楽曲識別情報と、楽曲識別情報に対応する楽曲属性情報を対応付けて記憶する。楽曲属性情報は、楽曲識別情報が示す楽曲を好むユーザの年代を示す年情報と、楽曲識別情報が示す楽曲を好むユーザの性別を示す性別情報とを含む。年情報は、楽曲識別情報が示す楽曲を好むユーザの年齢を示す情報であってもよい。本実施形態では、広告コンテンツを記憶する広告記憶部４３と、楽曲を記憶する曲記憶部４４とが、共にセンターサーバ４に備えられる構成であるが、これに限らない。広告記憶部４３と、曲記憶部４４は、それぞれ別体の各サーバに設けられてもよい。
【００４２】
また、センターサーバ４は、カラオケ店舗ＫＳに設置されたカラオケ装置２とリモコン１とのくくり付け情報を、広告記憶部４３の所定の記憶領域に記憶しても良い。また、センターサーバ４は、カラオケ店舗ＫＳに設置されたカラオケ装置と携帯端末装置とのくくり付け情報を記憶しても良い。くくり付け情報は、カラオケ装置２と通信可能なリモコンまたは携帯端末との対応関係を示す情報である。センターサーバ４は、くくり付け情報に基づいて、リモコン１から送信された予約依頼を、リモコン１とくくり付けられたカラオケ装置２へ送信する。また、図示外のカラオケサーバが、くくり付け情報に基づいて、携帯端末装置から送信された予約依頼を、携帯端末装置とくくり付けられたカラオケ装置２へ送信しても良い。
【００４３】
また、センターサーバ４は、広告コンテンツが新たに投入されると、新たな広告コンテンツを、広告記憶部４３の広告コンテンツ記憶領域４３１に記憶する。新たに記憶する広告コンテンツに対応して、広告コンテンツの属性情報が付与されているとき、広告コンテンツ属性情報記憶領域４３２に、広告コンテンツの属性情報を、広告コンテンツ記憶領域４３１に記憶される広告コンテンツと対応付けて記憶する。
【００４４】
また、センターサーバ４は、広告決定サーバ５を識別する識別情報と、広告決定サーバ５が備えられた店舗及び部屋と、広告決定サーバ５が設定された地域を示す地域情報とを対応付けて、広告記憶部４３に記憶する。これにより、各広告決定サーバ５は、広告決定サーバ５が設置された地域を把握することができる。
【００４５】
［広告決定サーバ５の構成］
広告決定サーバ５は、ＬＡＮインタフェース部５１と、制御部５２と、記憶部５３と、ビデオＲＡＭ５７と、映像制御部５８とを備える。ＬＡＮインタフェース部５１は、ネットワークに接続するためのインタフェースである。制御部５２は、広告決定サーバ５の動作を制御する。記憶部５３は、広告コンテンツ記憶領域５３１と、広告コンテンツ属性情報記憶領域５３２と、店舗統計情報記憶領域５３３と、予約リスト記憶領域５３４と、再生順序リスト記憶領域５３５とを備える。
【００４６】
広告コンテンツ記憶領域５３１は、カラオケシステムＳを利用してディスプレイ５４に表示させる１以上の広告コンテンツを記憶する。広告コンテンツ属性情報記憶領域５３２は、広告コンテンツ記憶領域５３１に記憶される広告コンテンツに対応付けて、各広告コンテンツの属性情報を記憶する。なお、広告コンテンツ及び、広告コンテンツの属性情報は、センターサーバ４から取得される。店舗統計情報記憶領域５３３は、店舗統計情報を記憶する。なお、店舗統計情報は、センターサーバ４から取得される。また、店舗統計情報記憶領域５３３は、店舗統計情報として、各店舗の店舗統計情報を夫々記憶する。店舗統計情報として記憶される属性情報により、時間帯ごとの注文傾向を判別することができる。また、予約リスト記憶領域５３４は、リモコン１により予約される楽曲の予約リストを記憶する。再生順序リスト記憶領域５３５は、広告コンテンツ記憶領域５３１に記憶される広告コンテンツが再生される順序を示す広告コンテンツの再生順序リストが記憶される。具体的には、再生順序リストは、再生される広告コンテンツを識別する識別情報と、広告コンテンツが再生されるタイミングを示すタイミング情報とを対応付けて記憶する。タイミング情報は、広告コンテンツが再生される順序を示す情報である。ビデオＲＡＭ５７と、映像制御部５８とにより、制御部５２による制御に従って、ディスプレイ５４に映像を表示させる。ビデオＲＡＭ５７は、ディスプレイ５４に表示させる映像を一時記憶する。映像制御部５８は、ディスプレイ５４に、広告コンテンツに従った映像を表示させる。
【００４７】
［注文端末６の構成］
図３に示す注文端末６は、無線ＬＡＮインタフェース部６１と、制御部６２と、記憶部６３と、ディスプレイ６４と、操作部６５と、操作処理部６６と、ビデオＲＡＭ６７と、映像制御部６８とを備える。無線ＬＡＮインタフェース部６１は、ネットワークに接続し、アクセスポイントＡＰを介して他の端末であるリモコン１と、カラオケ装置２と、センターサーバ４と、広告決定サーバ５と、ＰＯＳレジ７とに接続される。制御部６２は、注文端末６の動作を制御する。記憶部６３は、注文情報記憶領域６３１を備える。注文情報記憶領域６３１は、注文端末６により、ユーザから注文された商品についての情報を注文情報として記憶する。以下、図６を参照して、注文情報の詳細について後述する。図６に示すように、注文情報は、各店舗に備えられた部屋ごとで注文されたメニューを示す注文メニューと、注文された時間を示す注文時間と、注文された数を示す注文数とである。なお、図６に示す注文情報と対応付けて、注文情報が示す注文を実行した顧客のユーザ情報と対応付けて記憶しても良い。ユーザ情報は、例えばユーザＩＤ及びユーザ属性情報を含む。ディスプレイ６４は、ユーザが商品を注文するために商品の候補などを表示する。操作部６５により、ユーザは、ディスプレイ６４に表示された商品を選択し、注文する。操作処理部６６は、操作部６５からの情報を、操作指示として、制御部６２に送信する。ビデオＲＡＭ６７と、映像制御部６８とにより、制御部６２による制御に従って、ディスプレイ６４に商品を注文させるための注文映像を表示させる。ユーザにより、商品を注文する指示がされると、制御部６２により、注文情報と顧客のユーザ情報とが、ＰＯＳレジ７に送信される。ユーザは、注文端末６により、飲食物などの商品を注文する。注文端末６は、注文された商品に関する注文情報を、注文情報記憶領域６３１に記憶する。また、ユーザが注文端末６を用いて商品を注文するとき、注文端末６によりカラオケ装置２へログイン要求を行うことが可能である。ログイン要求の詳細は後述する。ログインユーザにより商品が注文されたときは、注文端末６は、注文情報に対応付けて、ユーザ情報も注文情報記憶領域６３１に記憶する。
【００４８】
［ＰＯＳレジ７の構成］
図３に示すＰＯＳレジ７は、制御部７１と、メモリ７３と、ディスプレイ７４と、操作部７５と、操作処理部７６と、ビデオＲＡＭ７７と、映像制御部７８と、ＬＡＮインタフェース部７９とを備える。制御部７１は、ＰＯＳレジ７の動作を制御する。メモリ７３は、注文情報記憶領域７３１と、顧客情報記憶領域７３２とを備える。注文情報記憶領域７３１は、注文端末６から受信した注文情報を記憶する。顧客情報記憶領域７３２は、顧客情報を記憶する。顧客情報は、ＰＯＳレジ７により入力された顧客情報を記憶する。以下、図７を参照して、顧客情報の詳細について後述する。図７に示すように、顧客情報は、各店舗に入店した顧客の情報である。図７に示すように、顧客情報は、各店舗に備えられた部屋ごとに入店したユーザの来店時間、退店時間、来店した人数、来店したユーザの性別、来店したユーザの年齢層、及び、来店したユーザの客層を示す情報である。ディスプレイ７４は、注文情報または顧客情報を入力するための情報を表示する。操作部７５により、ユーザは、ディスプレイ７４に表示された注文情報または顧客情報を選択すると、ＰＯＳレジ７に注文情報または顧客情報を入力することができる。操作処理部７６は、操作部７５からの情報を、操作指示として、制御部７１に送信する。ビデオＲＡＭ７７と、映像制御部７８とにより、制御部７１による制御に従って、ディスプレイ７４に注文映像を表示させる。ＬＡＮインタフェース部７９は、ネットワークに接続し、ブロードバンドルータＢＲを介して、注文情報記憶領域７３１に記憶された注文情報を、センターサーバ４および広告決定サーバ５に送信可能である。
【００４９】
また、ユーザが、飲食物などの商品を、注文端末６を用いずにカラオケ店舗ＫＳの店員に直接注文する場合がある。カラオケ店舗ＫＳの店員により、カラオケ店舗ＫＳに設置されるＰＯＳレジ７に注文情報が入力されてもよい。この場合は、カラオケ店舗ＫＳの店員は、ＰＯＳレジ７に注文情報を入力するとき、注文情報とともに、商品を注文したユーザを示す情報を、顧客情報として入力する。このように入力された注文情報が、注文情報記憶領域７３１に記憶されても良い。
【００５０】
注文端末６は、記憶部６３に記憶された注文情報を、定期的に、ネットワークを介してＰＯＳレジ７に送信する。そして、ＰＯＳレジ７は、注文情報記憶領域７３１及び顧客情報記憶領域７３２に記憶された情報をセンターサーバ４へ送信する。センターサーバ４は、ＰＯＳレジ７から注文情報及び顧客情報が送信されると、広告記憶部４３の所定の記憶領域に記憶される。そして、センターサーバ４は、受信した注文情報及び顧客情報に基づいて、図５に示すような、店舗ごと、または、部屋ごとの時間帯の店舗統計情報を生成する。具体的には、センターサーバ４は、図５に示す時間帯ごとに、注文されたメニューのメニュー大分類、及び、注文されたメニューのメニュー小分類を集計する。集計した結果、図５に示す各時間帯で注文された上位のメニュー大分類及びメニュー小分類が、時間帯ごとに決定される。決定された各時間帯のメニュー大分類及びメニュー小分類が、店舗統計情報として、図５に示すように記憶される。また、センターサーバ４は、図５に示す各時間帯に来店した客層、年齢、性別、及び、人数を集計する。集計した結果、図５に示す各時間帯で来店したユーザの上位の客層、年齢、性別、及び、人数が、時間帯ごとに決定される。決定された各時間帯の客層、年齢、性別、及び、人数が、店舗統計情報として、図５に示すように記憶される。このようにして、店舗統計情報が決定される。決定された店舗統計情報は、センターサーバ４から広告決定サーバ５へ送信される。なお、店舗統計情報は、広告決定サーバ５により決定されても良い。
【００５１】
そして、決定された各時間帯の客層、年齢、性別、人数、メニュー小分類、及び、メニュー大分類の少なくとも１つ一致する広告コンテンツ属性情報を備える広告コンテンツが、広告コンテンツ属性情報記憶領域５３２から決定される。一致する属性が多いほど、各時間帯の店舗統計情報に適した広告コンテンツとなる。このように、各店舗にあった広告コンテンツが決定される。本実施形態では、カラオケ装置２へユーザがログインしていない場合であっても、顧客情報または注文情報といった店舗に関する情報に一致した広告コンテンツ属性情報を持つコンテンツが決定されることで、カラオケ装置２が設置される店舗に合った広告が決定される。これにより、カラオケ装置２を利用するユーザへ、効果的な広告の提供が可能となる。
【００５２】
一方、カラオケ装置２へユーザがログインしている場合、広告決定サーバ５は、リモコン１またはカラオケ装置２から、カラオケ装置２へログインしているユーザのユーザＩＤとユーザの属性情報とを取得する。そして、取得したユーザの属性情報と一致する広告コンテンツ属性情報を備える広告コンテンツが、広告コンテンツ属性情報記憶領域５３２から決定される。一致する属性が多いほど、ユーザに適した広告コンテンツとなる。
【００５３】
また、ＰＯＳレジ７では、注文端末６から受信した注文情報と、注文情報に対応付けられた顧客情報とが集計され、注文された商品ごとに分類されても良い。ＰＯＳレジ７は、商品ごとに分類した情報を、顧客情報に従った注文傾向を示す注文傾向情報として、メモリ７３に記憶しても良い。この注文された商品ごとに分類された注文傾向情報により、商品が注文される時間と、商品が注文される顧客の情報とを、注文傾向として記憶させることができる。
【００５４】
［リモコン１の動作］
次に、上述に説明した構成からなる本実施形態のカラオケシステムＳに用いられるリモコン１の動作及び作用について、図８を参照して説明する。図８は、リモコン１におけるメイン動作の処理手順を示すフローチャートである。なお、リモコン１にメイン動作を実行させるプログラムは、メモリ１３の所定の記憶領域に記憶されている。リモコン１のメイン動作は、例えば、リモコン１の電源がオンにされたことにより、遂行される。以下に示す処理は、制御部１１により実行される。
【００５５】
ステップＳ１０１では、カラオケ装置２へログインが要求されたか否かが判定される。カラオケ装置２へログインが要求されたと判定された場合（ステップＳ１０１：ＹＥＳ）、ステップＳ１０２が実行される。カラオケ装置２へログインが要求されたと判定されない場合（ステップＳ１０１：ＮＯ）、ステップＳ１０４が実行される。
【００５６】
ステップＳ１０２では、カラオケ装置２へ向けて、ログイン要求が送信される。そして、ログイン要求を受信したカラオケ装置２を介してセンターサーバ４は、ログイン処理を実行し、ログインを許可するか、または、拒否するかを判断する。ログインの許可、または、ログインの拒否が、リモコン１へ向けて送信される。
【００５７】
ステップＳ１０３では、ログインの許可、または、ログインの拒否が受信される。受信した結果、ログインが許可された場合、許可されたユーザＩＤと、ユーザの属性情報とが、ログイン情報記憶領域１３１に記憶される。
【００５８】
ステップＳ１０４では、カラオケの楽曲の予約が、要求されたか否かが判定される。楽曲の予約が要求されたと判定された場合（ステップＳ１０４：ＹＥＳ）、ステップＳ１０５が実行される。楽曲の予約が要求されたと判定されなかった場合（ステップＳ１０４：ＮＯ）、ステップＳ１０８が実行される。
【００５９】
ステップＳ１０５では、ステップＳ１０４で要求された予約が、ログインユーザからの予約であるか否かが判定される。具体的には、ステップＳ１０４で要求されたときに、アクティブ情報記憶領域１３２に記憶されているユーザ識別情報が確認される。アクティブ情報記憶領域１３２に記憶されているユーザ識別情報が、ログインユーザを示す場合、ステップＳ１０４で要求された予約が、ログインユーザからの予約であると判定される。一方、アクティブ情報記憶領域１３２に記憶されているユーザ識別情報が、ゲストユーザを示す場合、ステップＳ１０４で要求された予約が、ログインユーザからの予約でないと判定される。ステップＳ１０４で要求された予約が、ログインユーザからの予約であると判定された場合（ステップＳ１０５：ＹＥＳ）、ステップＳ１０６が実行される。ステップＳ１０４で要求された予約が、ログインユーザからの予約でないと判定された場合（ステップＳ１０５：ＮＯ）、ステップＳ１０７が実行される。
【００６０】
ステップＳ１０６では、ログインユーザとして、アクティブ情報記憶領域１３２に記憶されたユーザ識別情報と、予約された楽曲識別情報と、楽曲識別情報に対応する楽曲属性情報とが、カラオケ装置２へ送信される。
【００６１】
ステップＳ１０７では、ゲストユーザとして、アクティブ情報記憶領域１３２に記憶されたユーザ識別情報と、予約された楽曲識別情報と、楽曲識別情報に対応する楽曲属性情報とが、カラオケ装置２へ送信される。
【００６２】
ステップＳ１０８では、リモコン１の電源がオフにされたか否かが判定される。リモコン１の電源がオフにされたと判定された場合（ステップＳ１０８：ＹＥＳ）、リモコン１のメイン動作は終了される。リモコン１の電源がオフにされたと判定されなかった場合（ステップＳ１０８：ＮＯ）、ステップＳ１０１が実行される。
【００６３】
［カラオケ装置２の動作］
次に、上述に説明した構成からなる本実施形態のカラオケシステムＳに用いられるカラオケ装置２の動作及び作用について、図９を参照して説明する。図９は、カラオケ装置２におけるメイン動作の処理手順を示すフローチャートである。なお、カラオケ装置２にメイン動作を実行させるプログラムは、記憶部２３の所定の記憶領域に記憶されている。カラオケ装置２のメイン動作は、例えば、カラオケ装置２の電源がオンにされたことにより、遂行される。以下に示す処理は、制御部２１により実行される。
【００６４】
ステップＳ２０１では、カラオケ装置２へログインが要求されたか否かが判定される。カラオケ装置２へログインが要求されたと判定された場合（ステップＳ２０１：ＹＥＳ）、ステップＳ２０２が実行される。カラオケ装置２へログインが要求されたと判定されない場合（ステップＳ２０１：ＮＯ）、ステップＳ２０４が実行される。
【００６５】
ステップＳ２０２では、カラオケ装置２と接続するセンターサーバ４へ向けて、ログイン要求が送信される。そして、ログイン要求を受信したセンターサーバ４は、ログイン処理を実行し、ログインを許可するか、または、拒否するかを判断する。ログインの許可、または、ログインの拒否が、カラオケ装置２へ向けて送信される。
【００６６】
ステップＳ２０３では、ログインの許可、または、ログインの拒否がセンターサーバ４から受信される。ログインが許可されるとき、センターサーバ４から、ログインの許可と共に、ログイン要求に示されるログインユーザの情報が受信される。受信した結果、ログインが許可された場合、許可されたユーザＩＤと、ユーザの属性情報とが、ログイン情報記憶領域２３１に記憶される。
【００６７】
ステップＳ２０４では、リモコン１のステップＳ１０６またはステップＳ１０７で送信されたカラオケの楽曲を予約する要求が受信されたか否かが判定される。楽曲を予約する要求が受信されたと判定された場合（ステップＳ２０４：ＹＥＳ）、ステップＳ２０５が実行される。予約する要求が受信されたと判定されなかった場合（ステップＳ２０４：ＮＯ）、ステップＳ２０８が実行される。
【００６８】
ステップＳ２０５では、ステップＳ２０４で受信された要求に含まれる予約楽曲の楽曲識別情報に関する楽曲属性情報が、センターサーバ４へ向けて要求される。
【００６９】
ステップＳ２０６では、ステップＳ２０５で要求された楽曲属性情報が、センターサーバ４から取得される。
【００７０】
ステップＳ２０７では、ステップＳ２０６で取得された楽曲属性情報と、楽曲識別情報と、楽曲を予約したログインユーザまたはゲストユーザを識別するユーザ識別情報とが対応付けられて、予約リスト記憶領域２３２に記憶される。
【００７１】
ステップＳ２０８では、広告決定サーバ５から、ログインユーザのログイン情報の送信要求が受信されたか否かが判定される。ログインユーザの情報の送信要求が受信されたと判定された場合（ステップＳ２０８：ＹＥＳ）、ステップＳ２０９が実行される。ログインユーザのログイン情報の送信要求が受信されたと判定されなかった場合（ステップＳ２０８：ＮＯ）、ステップＳ２１０が実行される。
【００７２】
ステップＳ２０９では、ログイン情報記憶領域２３１に記憶されたすべてのログインユーザのログイン情報が、広告決定サーバ５へ送信される。
【００７３】
ステップＳ２１０では、広告決定サーバ５から、予約リストの送信要求が受信されたか否かが判定される。広告決定サーバ５から予約リストの送信要求が受信されたと判定された場合（ステップＳ２１０：ＹＥＳ）、ステップＳ２１１が実行される。広告決定サーバ５から送信された予約リストの送信要求が受信されたと判定されなかった場合（ステップＳ２１０：ＮＯ）、ステップＳ２１２が実行される。
【００７４】
ステップＳ２１１では、予約リスト記憶領域２３２に記憶された予約リストと、現在再生中の楽曲を示す楽曲識別情報とが、広告決定サーバ５へ送信される。
【００７５】
ステップＳ２１２では、カラオケ装置２の電源がオフにされたか否かが判定される。カラオケ装置２の電源がオフにされたと判定された場合（ステップＳ２１２：ＹＥＳ）、カラオケ装置２のメイン動作は終了される。カラオケ装置２の電源がオフにされたと判定されなかった場合（ステップＳ２１２：ＮＯ）、ステップＳ２０１が実行される。
【００７６】
［広告決定サーバ５の動作］
次に、上述に説明した構成からなる本実施形態のカラオケシステムＳに用いられる広告決定サーバ５の動作及び作用について、図面を参照して説明する。まず、図１０を用いて、広告決定サーバ５のメイン処理を説明する。図１０は、広告決定サーバ５のメイン処理の処理手順を示すフローチャートである。なお、広告決定サーバ５にメイン動作を実行させるプログラムは、記憶部５３の所定の記憶領域に記憶されている。広告決定サーバ５のメイン処理は、広告決定サーバ５が電源またコンセントを介して商用電源などの外部電源と接続されることにより、実行される。以下に示す処理は、広告決定サーバ５の制御部５２により実行される。
【００７７】
まず、図１０に示す広告決定サーバ５のメイン処理では、ステップＳ５０１では、再生順序リストを取得する。再生順序リストは、広告決定サーバ５の記憶部５３の再生順序リスト記憶領域５３５から取得される。再生順序リストは、複数の広告コンテンツをディスプレイ５４に再生させる順番が、所定期間ごとに定められたリストである。再生順序リスト記憶領域５３５に記憶される再生順序リストは、センターサーバ４から配信される。センターサーバ４から配信される時点での再生順序リストは、カラオケシステムＳを利用するカラオケ店舗ＫＳに関わらず広告コンテンツの再生順序が一律に定められている。
【００７８】
ステップＳ５０２では、広告コンテンツの更新が、必要か否かが判断される。ステップＳ５０２では、広告決定サーバ５が、センターサーバ４へ問い合わせ、センターサーバ４に新たな広告コンテンツの投入がされているかが判断される。センターサーバ４に新たな広告コンテンツの投入がされたと判断されると、広告コンテンツの更新が必要であると判断される（ステップＳ５０２：ＹＥＳ）。広告コンテンツの更新が必要であると判断されるとき、ステップＳ５０３の処理が実行される。センターサーバ４に新たな広告コンテンツの投入がされたと判断されないと、広告コンテンツの更新が不要であると判断される（ステップＳ５０２：ＮＯ）。広告コンテンツの更新が不要であるとき、ステップＳ５０８の処理が実行される。
【００７９】
ステップＳ５０３では、センターサーバ４から、新たな広告コンテンツが取得される。取得した広告コンテンツは、既に取得済の広告コンテンツと共に、記憶部５３の広告コンテンツ記憶領域５３１に記憶される。
【００８０】
ステップＳ５０４では、取得した広告コンテンツに対応づけられている広告コンテンツ属性情報を、センターサーバ４の広告記憶部４３の広告コンテンツ属性情報記憶領域４３２から取得する。取得された広告コンテンツ属性情報は、広告コンテンツに対応付けて、広告コンテンツ属性情報記憶領域５３２に記憶される。
【００８１】
ステップＳ５０８では、店舗統計情報を更新する必要があるか否かが判断される。具体的には、ステップＳ５０８では、地域情報と、注文情報と、客層情報とを更新する必要があるか否かが判断される。地域情報は、センターサーバ４の広告記憶部４３に記憶された広告決定サーバ５が設定された地域を示す地域情報である。注文情報は、ＰＯＳレジ７により管理される注文情報である。ステップＳ５０８では、これらの各情報について、記憶部５３の店舗統計情報記憶領域５３３に記憶されている店舗統計情報より新しい情報があるか否かが判断される。各情報は、店舗統計情報記憶領域５３３に記憶された店舗統計情報より、母数が多い場合、または、更新日時が新しい場合に、店舗統計情報記憶領域５３３の店舗統計情報より、新しい情報があると判断され、店舗統計情報を更新する必要があると判断される（ステップＳ５０８：ＹＥＳ）。店舗統計情報を更新する必要があるとき、ステップＳ５０９の処理が実行される。店舗統計情報記憶領域５３３の店舗統計情報より、新しい情報があると判断されず（ステップＳ５０８：ＮＯ）、店舗統計情報の更新が不要であるとき、ステップＳ５１１の処理が実行される。
【００８２】
ステップＳ５０９では、広告決定サーバ５が設置されるカラオケルームＫＲのカラオケ店舗ＫＳの店舗統計情報が取得される。取得された店舗統計情報は、記憶部５３の店舗統計情報記憶領域５３３に記憶される。
【００８３】
ステップＳ５１１では、カラオケ装置２の記憶部２３の予約リスト記憶領域２３２から、予約リストが取得される。取得された予約リストは予約リスト記憶領域５３４に記憶される。
【００８４】
ステップＳ５１２では、ステップＳ５１１において取得された予約リストを用いて、カラオケシステムＳを利用するユーザにより、リモコン１を用いてログインがされているか否かが判断される。具体的には、ステップＳ５１２では，予約リストの楽曲を予約したユーザに、ログインユーザがいるか否かが判断される。ログインユーザがいると判断されると（ステップＳ５１２：ＹＥＳ）、ステップＳ５１３の処理が実行される。ログインユーザがいると判断されないと（ステップＳ５１２：ＮＯ）、ステップＳ５１７の処理が実行される。
【００８５】
ステップＳ５１３では、ステップＳ５１２において、ログインユーザがいると判断されるとき（ステップＳ５１２：ＹＥＳ）、カラオケ装置２へログインユーザの情報を取得する要求を行うことにより、カラオケ装置２の記憶部２３のログイン情報記憶領域２３１からログインユーザの情報であるログイン情報を取得する。ログイン情報は、具体的には、ログインユーザの人数と、ログインユーザのユーザＩＤと、ログインユーザが登録しているユーザ属性情報と、ゲストユーザの有無である。
【００８６】
ステップＳ５１４では、カラオケ装置２により楽曲が再生されているか否かが判断される。ステップＳ５１４では、広告決定サーバ５から、カラオケ装置２へ問い合わせ、カラオケ装置２から、楽曲の再生状況を取得することにより、楽曲の再生有無が判断される。楽曲が再生されていると判断されると（ステップＳ５１４：ＹＥＳ）、ステップＳ５１５の処理が実行される。楽曲が再生されていると判断されないと（ステップＳ５１４：ＮＯ）、ステップＳ５１６の処理が実行される。
【００８７】
ステップＳ５１５では、再生されている楽曲を予約したユーザの情報が取得される。具体的には、再生されている楽曲を予約したユーザが、ログインユーザであれば、楽曲を予約したログインユーザのログイン情報が取得される。再生されている楽曲を予約したユーザが、ゲストユーザであれば、ゲストユーザであることを示す情報が取得される。
【００８８】
ステップＳ５１６では、ログインユーザと、ゲストユーザとが混合しているとき、再生される楽曲を予約したログインユーザまたはゲストユーザに応じて、広告の表示を変更する再生ユーザ別広告表示処理が実行される。再生ユーザ別広告表示処理の詳細は、後述する。
【００８９】
ステップＳ５１７では、ステップＳ５０１において取得された再生順序リストに従って、再生順序リストに示される複数の広告コンテンツが、ディスプレイ５４に順に表示される。ステップＳ５１７の処理が実行されると、ステップ５１８の処理が行われる。
【００９０】
ステップＳ５１６の再生ユーザ別広告表示処理または、ステップＳ５１７の処理が実行されると、続けて、メイン処理のステップＳ５１８の処理が実行される。ステップＳ５１８では、広告決定サーバ５の電源をオフにする指示がされたか否かが判断される。広告決定サーバ５の電源をオフにする指示がされたと判断されると（ステップＳ５１８：ＹＥＳ）、広告決定サーバ５のメイン処理が終了される。広告決定サーバ５の電源をオフにする指示がされたと判断されないと（ステップＳ５１８：ＮＯ）、ステップＳ５０１の処理が繰り返し実行される。
【００９１】
次に、広告決定サーバ５のメイン処理のステップＳ５１６において実行される再生ユーザ別広告表示処理を説明する。図１１は、再生ユーザ別広告表示処理の処理手順を示すフローチャートである。以下、図１１を用いて再生ユーザ別広告表示処理のステップＳ６０１〜ステップＳ６０５の処理を説明する。
【００９２】
ステップＳ６０１では、ステップＳ５１３の処理で取得されたログイン情報にしたがって、ログインユーザと、ゲストユーザとが混在しているか否かが判断される。ログインユーザと、ゲストユーザとが混在していると判断されるとき（ステップＳ６０１：ＹＥＳ）、ステップＳ６０３の処理が実行される。ログインユーザと、ゲストユーザとが混在していると判断されないとき（ステップＳ６０１：ＮＯ）、ステップＳ６０２の処理が実行される。
【００９３】
ステップＳ６０２では、ステップＳ５１３の処理で取得されたログイン情報に従って、再生中の楽曲ではない楽曲を予約したログインユーザへ向けた広告コンテンツを、ディスプレイ５４に表示させる。
【００９４】
ステップＳ６０３では、ステップＳ６０１において、ログインユーザと、ゲストユーザとが混在していると判断されると（ステップＳ６０１：ＹＥＳ）、再生中の楽曲がログインユーザにより予約されたか否かが判断される。再生中の楽曲がログインユーザにより予約されたと判断されると（ステップＳ６０３：ＹＥＳ）、ステップＳ６０４の処理が実行される。再生中の楽曲がログインユーザにより予約されたと判断されないと（ステップＳ６０３：ＮＯ）、ステップＳ６０５の処理が実行される。
【００９５】
ステップＳ６０４では、ステップＳ６０３において再生中の楽曲がログインユーザにより予約されたと判断されるとき（ステップＳ６０３：ＹＥＳ）、ゲストユーザに合った広告を表示させるゲストユーザ向け広告表示処理が実行される。ゲストユーザ向け広告表示処理の詳細は、後述する。
【００９６】
一方、ログイン広告表示処理のステップＳ６０３の処理において、再生中の楽曲がログインユーザにより予約されたと判断されないとき（ステップＳ６０３：ＮＯ）、ステップＳ６０５の処理が実行される。ステップＳ６０５では、ログインユーザのユーザ属性に合う広告コンテンツをディスプレイ５４に表示させる。ログインユーザのユーザ属性に合う広告コンテンツとは、具体的には、ログイン情報記憶領域２３１に記憶されたログインユーザの属性情報に対応する広告コンテンツである。
【００９７】
ステップＳ６０２の処理、またはステップＳ６０４のゲストユーザ向け広告表示処理、またはステップＳ６０５の処理が実行されると、続けて、メイン処理に戻り、ステップＳ５１８の処理が実行される。
【００９８】
次に、ステップＳ６０４において実行されるゲストユーザ向け広告表示処理の詳細を説明する。図１２は、ゲストユーザ向け広告表示処理の処理手順を示すフローチャートである。以下、図１２を用いてゲストユーザ向け広告表示処理のステップＳ７０４〜ステップＳ７１２の処理を説明する。
【００９９】
ステップＳ７０４では、ステップＳ５１１の処理でカラオケ装置２から取得され、予約リスト記憶領域５３４に記憶された予約リストの楽曲について、性別情報がすべて一致するか否かが判断される。予約リストの楽曲の性別情報がすべて一致すると判断されると（ステップＳ７０４：ＹＥＳ）、ステップＳ７０５の処理が実行される。予約リストの楽曲の性別情報がすべて一致すると判断されないと（ステップＳ７０４：ＮＯ）、ステップＳ７０６の処理が実行される。
【０１００】
ステップＳ７０５では、ステップＳ７０４の処理において、すべて一致すると判断された性別情報に対応する広告コンテンツを、ディスプレイ５４に表示する処理が実行される。例えば、ステップＳ７０４の処理において、予約リストの楽曲の性別情報がすべて「女性」であると判断されると、図４（ｃ）に示す広告コンテンツのうち、広告１をディスプレイ５４に表示する処理が行われる。ステップＳ７０４の処理において、予約リストの楽曲の性別情報がすべて「男性」であると判断されると、図４（ｃ）に示す広告コンテンツのうち、広告３および広告４をディスプレイ５４に表示する処理が行われる。
【０１０１】
ステップＳ７０６では、予約リスト記憶領域５３４に記憶された予約リストの楽曲について、年情報がすべて一致するか否かが判断される。予約リストの楽曲の年情報がすべて一致すると判断されると（ステップＳ７０６：ＹＥＳ）、ステップＳ７０７の処理が実行される。予約リストの楽曲の年情報がすべて一致すると判断されないと（ステップＳ７０６：ＮＯ）、ステップＳ７０８の処理が実行される。
【０１０２】
ステップＳ７０７では、ステップＳ７０６の処理において、すべて一致すると判断された年情報に対応する広告コンテンツを、ディスプレイ５４に表示する処理が実行される。例えばステップＳ７０６の処理において、予約リストの楽曲の年情報が年代を示す年齢層情報であり、すべて「２０〜３４歳」の年齢層であると判断されると、図４（ｃ）に示す広告コンテンツのうち、広告２および広告３をディスプレイ５４に表示する処理が行われる。
【０１０３】
ステップＳ７０８では、センターサーバ４の広告記憶部４３から、広告決定サーバ５が設定された地域を示す地域情報を取得する。
【０１０４】
ステップＳ７０９では、ステップＳ７０８において取得された地域情報と一致する地域情報を含む広告コンテンツがあるか否かが判断される。地域情報が一致する広告コンテンツがあると判断されると（ステップＳ７０９：ＹＥＳ）、ステップＳ７１０の処理が実行される。地域情報が一致する広告コンテンツがあると判断されないと（ステップＳ７０９：ＮＯ）、ステップＳ７１１の処理が実行される。例えば、ステップＳ７０８において、センターサーバ４から、カラオケ装置２が設置されている地域情報として「Ａ県」が取得されたとき、ステップＳ７０９では、図４（ｃ）に示す広告コンテンツのうち、広告１をディスプレイ５４に表示する処理が行われる。
【０１０５】
ステップＳ７１０では、ステップＳ７０９において地域情報が一致すると判断された広告コンテンツを、ディスプレイ５４に表示する処理が実行される。
【０１０６】
ステップＳ７１１では、ネットワークを介して外部のサーバなどから、現在日時が取得される。ステップＳ７１１が実行されると、ステップＳ７１２が実行される。
【０１０７】
ステップＳ７１２では、ステップＳ７１１により取得された現在日時が示す現在時間と、記憶部５３の店舗統計情報記憶領域５３３に記憶された店舗統計情報とに従って、現在時間に利用するユーザが多い客層を示す客層情報が決定される。そして、決定された客層情報が対応付けられた広告コンテンツが、ディスプレイ５４に表示される。例えば、ステップＳ７１１の処理において取得された現在日時が「１９：００」であったとき、図５に示す店舗統計情報に従って、１８：００〜２０：００に利用が多い客層「会社員」に向ける広告コンテンツとして、図４（ｃ）に示す広告４がディスプレイ５４に表示される。
【０１０８】
ステップＳ７０５の処理、またはステップＳ７０７の処理、またはステップＳ７１０の処理、またはステップＳ７１２の処理が実行されると、ゲストユーザ向け広告表示処理が終了され、メイン処理が行われる。
【０１０９】
[本発明の構成と本実施形態との対応］
本実施形態において、カラオケ装置２が、本発明のカラオケ装置の一例である。本実施形態の広告決定サーバ５が、本発明の広告決定装置の一例である。本実施形態の広告決定サーバ５の制御部５２にメイン処理を実行させるプログラムが、本発明の広告決定プログラムの一例であり、本実施形態の広告決定サーバ５により実行される処理が、本発明の広告決定方法の一例である。本実施形態において、リモコン１へログインしたユーザであるユーザ画像Ａ１〜Ａ３に示すユーザが、本発明のログインユーザの一例であり、リモコン１へログインしていないユーザ画像Ａ４に示すユーザが、本発明のゲストユーザの一例である。
【０１１０】
本実施形態において、広告決定サーバ５の制御部５２が、本発明の第１取得手段の一例であり、制御部５２により実行されるステップＳ５１１の処理が、本発明の第１取得ステップの一例である。尚、本実施形態における制御部５２がカラオケ装置２から取得する予約リストが、本発明の楽曲リストの一例である。
【０１１１】
本実施形態において、広告決定サーバ５の制御部５２が、本発明の第１判定手段の一例であり、制御部５２により実行されるステップＳ６０１の処理が、本発明の第１判定ステップの一例である。本実施形態において、広告決定サーバ５の制御部５２が、本発明の第２判定手段の一例であり、制御部５２により実行されるステップＳ６０３の処理が、本発明の第２判定ステップの一例である。本実施形態において、ディスプレイ５４に表示される広告コンテンツである広告１〜広告４が、本発明の広告情報の一例である。
【０１１２】
本実施形態において、広告決定サーバ５の制御部５２が、本発明の第１決定手段の一例であり、制御部５２により実行されるステップＳ６０４の処理が、本発明の第１決定ステップの一例である。本実施形態において、広告決定サーバ５の制御部５２が、本発明の第２決定手段の一例であり、制御部５２により実行されるステップＳ６０５の処理が、本発明の第２決定ステップの一例である。
【０１１３】
本実施形態において、カラオケ装置２が設置された地域を示す地域情報が、本発明の店舗の属性情報の一例である。また、本実施形態において、ＰＯＳレジ７により管理される店舗統計情報が、本発明の店舗の稼働情報の一例である。本実施形態において、ＰＯＳレジ７により管理される店舗統計情報の客層が、本発明の稼働情報の時間帯ごとのユーザ層の一例である。本実施形態では、時間帯ごとのユーザ層として、取得した現在日時に利用が多い職業を、客層の一例として示したがこれに限らない。ユーザ層は、例えば、店舗統計情報の１グループの利用人数の違いを、ユーザ層としてもよい。また、メニューを注文した人を、各メニューの購入者で分別し、ユーザ層としてもよい。本実施形態において、広告決定サーバ５の制御部５２が、本発明の第２取得手段および本発明の第３取得手段の一例である。本実施形態において、楽曲属性情報として、年情報と、性別情報とを、例に説明したがこれに限らない。例えば、楽曲のジャンル、楽曲のテンポ、楽曲を好むユーザの職業などを、楽曲属性情報としてもよい。
【符号の説明】
【０１１４】
Ｓ  カラオケシステム
１  リモコン
２  カラオケ装置
４  センターサーバ
５  広告決定サーバ
５２  制御部
５４  ディスプレイ
６  注文端末
７  ＰＯＳレジ
【図１】
2013250396.tif 000003
【図２】
2013250396.tif 000004
【図３】
2013250396.tif 000005
【図４】
2013250396.tif 000006
【図５】
2013250396.tif 000007
【図６】
2013250396.tif 000008
【図７】
2013250396.tif 000009
【図８】
2013250396.tif 000010
【図９】
2013250396.tif 000011
【図１０】
2013250396.tif 000012
【図１１】
2013250396.tif 000013
【図１２】
2013250396.tif 000014